(57)【要約】ホットランナーシステムを製造する方法１００が開示される。方法１００は、部分的に組み立てられたホットランナー構成要素を事業主体に出荷することを含む出荷工程１０６であって、該事業主体は、当該部分的に組み立てられたホットランナー構成要素を用いて当該ホットランナーシステムを少なくとも部分的に構築し、当該事業主体は当該ホットランナーシステムをエンドユーザーに出荷し、当該エンドユーザーは当該ホットランナーシステムを成形システムにおいて用い、当該部分的に完成されたホットランナー構成要素は、当該部分的に完成されたホットランナー構成要素に関連されたエンジニアリングデータに基づいて、少なくとも部分的に製造され、当該エンジニアリングデータは少なくとも部分的に準備され、当該エンジニアリングデータは、当該部分的に完成されたホットランナー構成要素に関連されており、当該部分的に完成されたホットランナー構成要素は、当該ホットランナーシステムにおいて用いられる、出荷工程１０６を含む。
2013501974.tif 000002
【特許請求の範囲】
【請求項１】
ホットランナーシステムを製造する方法（１００）は、
部分的に完成されたホットランナー構成要素を事業主体に出荷することを含む出荷工程（１０６）であって、該事業主体は、該部分的に完成されたホットランナー構成要素を用いて該ホットランナーシステムを少なくとも部分的に構築し、該事業主体は、該ホットランナーシステムをエンドユーザーに出荷し、該エンドユーザーは、該ホットランナーシステムを成形システムにおいて用い、該部分的に完成されたホットランナー構成要素は、該部分的に完成されたホットランナー構成要素に関連されたエンジニアリングデータに基づいて、少なくとも部分的に製造され、該エンジニアリングデータは少なくとも部分的に準備され、該エンジニアリングデータは、該部分的に完成されたホットランナー構成要素に関連されており、該部分的に完成されたホットランナー構成要素は、該ホットランナーシステムにおいて用いられる、出荷工程（１０６）を含む、方法。
【請求項２】
ホットランナーシステムを製造する方法（１００）は、
部分的に完成されたホットランナー構成要素に関連されたエンジニアリングデータを少なくとも部分的に準備することを含む準備工程（１０２）であって、該部分的に完成されたホットランナー構成要素は該ホットランナーシステムにおいて用いられる、準備工程（１０２）と、
該部分的に完成されたホットランナー構成要素に関連された該エンジニアリングデータに基づいて、該部分的に完成されたホットランナー構成要素を少なくとも部分的に製造することを含む製造工程（１０４）と、
該部分的に完成されたホットランナー構成要素を事業主体に出荷することを含む出荷工程（１０６）であって、該事業主体は、該部分的に完成されたホットランナー構成要素を用いて該ホットランナーシステムを少なくとも部分的に構築し、該事業主体は、該ホットランナーシステムをエンドユーザーに出荷し、該エンドユーザーは、該ホットランナーシステムを成形システムにおいて用いる、出荷工程（１０６）と、
を含む、方法。
【請求項３】
ホットランナーシステムを製造する方法（３００）は、
標準的なホットランナー構成要素とエンジニアリングデータとを事業主体に出荷することを含む出荷工程（３０６）であって、準備される該エンジニアリングデータは、該ホットランナーシステムに関連されており、準備される該標準的なホットランナー構成要素は、該ホットランナーシステムにおいて用いられ、該事業主体は、該標準的なホットランナー構成要素と該エンジニアリングデータとを用いて該ホットランナーシステムを構築し、該事業主体は、該ホットランナーシステムを該ホットランナーシステムのエンドユーザーに出荷し、該エンドユーザーは、該ホットランナーシステムを成形システムにおいて用いる、出荷工程（３０６）を含む、方法。
【請求項４】
ホットランナーシステムを製造する方法（３００）は、
該ホットランナーシステムに関連されたエンジニアリングデータを少なくとも部分的に準備することを含む準備工程（３０２）と、
標準的なホットランナー構成要素を少なくとも部分的に準備することを含む準備工程（３０４）であって、該標準的なホットランナー構成要素は、該ホットランナーシステムにおいて用いられる、準備工程（３０４）と、
該標準的なホットランナー構成要素と該エンジニアリングデータとを事業主体に出荷することを含む出荷工程（３０６）であって、該事業主体は、該標準的なホットランナー構成要素と該エンジニアリングデータとを用いて該ホットランナーシステムを構築し、該事業主体は、該ホットランナーシステムを該ホットランナーシステムのエンドユーザーに出荷し、該エンドユーザーは、該ホットランナーシステムを成形システムにおいて用いる、出荷工程（３０６）と、
を含む、方法。
【発明の詳細な説明】
【技術分野】
【０００１】
本発明の一態様は、概して、（限定はされないが、例えば）ホットランナーシステムや、成形システムにおいて用いられるホットランナーシステムを製造する方法に関する。
【０００２】
幾つかの態様は独立請求項に記載されている。
【背景技術】
【０００３】
供給主体がホットランナーシステムを製造し、これらのホットランナーシステムはエンドユーザーに出荷されて、エンドユーザーが次いでホットランナーシステムを成形システムに配置することが知られている。
【発明の概要】
【０００４】
本発明の範囲は独立請求項によって与えられる範囲に限定されることが理解され、また本発明の範囲が、（ｉ）従属請求項、（ｉｉ）非限定的な実施形態の詳細な説明、（ｉｉｉ）概要、（ｉｖ）要約書、及び／又は（ｖ）本特許出願の範囲外で与えられる説明に限定されないことが理解される。
【０００５】
一態様によると、ホットランナーシステムを製造する方法１００は、（限定されないが、）部分的に組み立てられたホットランナー構成要素を事業主体に出荷することを含む出荷工程１０６であって、当該事業主体は、当該部分的に組み立てられたホットランナー構成要素を用いて当該ホットランナーシステムを少なくとも部分的に構築し、当該事業主体は、当該ホットランナーシステムをエンドユーザーに出荷し、当該エンドユーザーは、当該ホットランナーシステムを成形システムにおいて用い、当該部分的に完成されたホットランナー構成要素は、当該部分的に完成されたホットランナー構成要素に関連されたエンジニアリングデータに基づいて、少なくとも部分的に製造され、当該エンジニアリングデータは少なくとも部分的に準備され、当該エンジニアリングデータは、当該部分的に完成されたホットランナー構成要素（例えば部分的に組み立てられたマニホールドアセンブリ）に関連されており、当該部分的に完成されたホットランナー構成要素は、当該ホットランナーシステムにおいて用いられる、出荷工程１０６を含む、方法１００が提供される。
【０００６】
別の態様によると、ホットランナーシステムを製造する方法３００は、（限定されないが、）標準的なホットランナー構成要素とエンジニアリングデータとを事業主体に出荷することを含む出荷作業３０６であって、準備される当該エンジニアリングデータは、当該ホットランナーシステムに関連されており、準備される標準的なホットランナー構成要素は、当該ホットランナーシステムにおいて用いられ、当該事業主体は、当該標準的なホットランナー構成要素と当該エンジニアリングデータとを用いて当該ホットランナーアセンブリを構築し、当該事業主体は、当該ホットランナーシステムを当該ホットランナーシステムのエンドユーザーに出荷し、当該エンドユーザーは、当該ホットランナーシステムを成形システムにおいて用いる、出荷工程３０６を含む、方法３００が提供される。
【０００７】
ここで、非限定的な実施形態の他の態様及び特徴が、添付の図面とともに非限定的な実施形態の以下の詳細な記載を検討すれば当業者には明らかになるであろう。
【０００８】
非限定的な実施形態は、非限定的な実施形態の以下の詳細な説明を添付の図面と併せて参照することによって、より完全に理解されるであろう。
【図面の簡単な説明】
【０００９】
【図１Ａ】ホットランナーシステムを製造する方法１００が示されている、第１の非限定的な実施形態の概略図である。
【図１Ｂ】ホットランナーシステムを製造する方法２００が示されている、第２の非限定的な実施形態の概略図である。
【図１Ｃ】ホットランナーシステムを製造する方法３００が示されている、第３の非限定的な実施形態の概略図である。
【図１Ｄ】ホットランナーシステムを製造する方法４００が示されている、第４の非限定的な実施形態の概略図である。
【００１０】
図面は必ずしも縮尺通りには描かれておらず、仮想線、概略図及び部分図によって示される場合がある。特定の場合では、実施形態の理解に必要ではない細部（及び／又は他の細部の把握を難しくする細部）は省略されている場合がある。
【発明を実施するための形態】
【００１１】
射出成形システム及びホットランナーシステムは、当業者に既知である構成要素を含むことができ、これらの既知の構成要素は、本明細書では記載せず、少なくとも一部が（例えば）以下の参考文献に記載されている：（ｉ）ＯＳＳＷＡＬＤ／ＴＵＲＮＧ／ＧＲＡＭＡＮＮ著「Ｉｎｊｅｃｔｉｏｎ  Ｍｏｌｄｉｎｇ  Ｈａｎｄｂｏｏｋ」（ＩＳＢＮ：  ３−４４６−２１６６９−２）、（ｉｉ）ＲＯＳＡＴＯ  ＡＮＤ  ＲＯＳＡＴＯ著「Ｉｎｊｅｃｔｉｏｎ  Ｍｏｌｄｉｎｇ  Ｈａｎｄｂｏｏｋ」（ＩＳＢＮ：  ０−４１２−９９３８１−３）、（ｉｉｉ）ＪＯＨＡＮＮＡＢＥＲ著「Ｉｎｊｅｃｔｉｏｎ  Ｍｏｌｄｉｎｇ  Ｓｙｓｔｅｍｓ」（第３版）（ＩＳＢＮ  ３−４４６−１７７３３−７）、及び／又は、（ｉｖ）ＢＥＡＵＭＯＮＴ著「Ｒｕｎｎｅｒ  ａｎｄ  Ｇａｔｉｎｇ  Ｄｅｓｉｇｎ  Ｈａｎｄｂｏｏｋ」（ＩＳＢＮ  １−４４６−２２６７２−９）。
【００１２】
図１Ａは、ホットランナーシステムを製造する方法１００が示されている、第１の非限定的な実施形態の概略図を示す。当該方法１００は、（限定されないが、）（ｉ）準備工程１０２、（ｉｉ）製造工程１０４、及び（ｉｉｉ）出荷工程１０６を含む。準備工程１０２は、（限定されないが、）部分的に完成された（部分的に組み立てられた）ホットランナー構成要素に関連されたエンジニアリングデータを少なくとも部分的に準備することを含む。部分的に完成されたホットランナー構成要素の一例は、（限定されないが、）部分的に組み立てられたマニホールドアセンブリを含む。部分的に完成されたホットランナー構成要素は、ホットランナーシステムにおいて用いられる（すなわち、一体化されるか又は含まれる）。準備工程１０２は、用途検討工程と呼ぶこともでき、このプロセスには、（限定されないが、）成形流れ分析、用途検証、技術設計、部品表（ＢＯＭ）、数値制御（ＮＣ）プログラミング等の他の工程を含めることができる。準備工程１０２の間、部分的に完成されたホットランナー構成要素の特徴、例えば（限定されないが）熱電対の位置、溶融体流路を閉塞する熱プロファイルプラグの詳細の確立、溶融体流路の製造の詳細、製造工程等が確立される。
【００１３】
製造工程１０４は、（限定されないが、）部分的に完成されたホットランナー構成要素に関連されたエンジニアリングデータに基づいて、部分的に完成されたホットランナー構成要素を、少なくとも部分的に製造することを含む。供給主体が、部分的に組み立てられたホットランナー構成要素（例えばマニホールドシステム）を、例えば（限定されないが）マニホールドの形態（例えば外側のパラーメーター）のウォータージェット工程、溶融体流路のガンドリル工程、冷却ラインのドリル工程、ノズルに熱電対を取り付ける工程、溶融体流路を閉塞するための閉塞工程、ヒーター溝の製造工程等の工程を用いることによって、部分的に製造することが理解されるであろう。
【００１４】
出荷工程１０６は、（限定されないが、）在庫又は組立ラインから事業主体に部分的に組み立てられたホットランナー構成要素を出荷することを含む。事業主体は、部分的に組み立てられたホットランナー構成要素を用いて、ホットランナーシステムを少なくとも部分的に構築する。事業主体は、ホットランナーシステムをエンドユーザーに出荷する。エンドユーザーは、ホットランナーシステムを成形システムにおいて用いる。方法１００を実行する供給主体は、（限定されないが、）カナダのオンタリオ州ボルトン所在のＨＵＳＫＹ  Ｉｎｊｅｃｔｉｏｎ  Ｍｏｌｄｉｎｇ  Ｓｙｓｔｅｍｓ  Ｌｔｄ．等の供給主体とすることができることが理解されるであろう。供給主体及び事業主体は、（ｉ）事業主体が供給主体から部分的に完成されたホットランナー構成要素を受け取ること、及び（ｉｉ）供給主体が、部分的に完成されたホットランナー構成要素を事業主体に出荷したことに対して、金銭的な報酬を受け取ることを義務づける、法的取り決め又は契約に至っていることも理解されるであろう。
【００１５】
図１Ｂは、ホットランナーシステムを製造する方法２００が示されている、第２の非限定的な実施形態の概略図を示す。事業主体はこの場合、供給主体から部分的に完成されたホットランナー構成要素を受け取った後で、方法２００に関連する工程を実行することができる。方法２００は、（限定されないが、）（ｉ）受取り工程２０２、（ｉｉ）配置工程２０４、（ｉｉｉ）取出し工程２０６、（ｉｖ）製造工程２０８、及び（ｖ）組み立て工程２１０を含む。受取り工程２０２は、（限定されないが、）供給主体から部分的に完成されたホットランナー構成要素を受け取ることを含む。供給主体は、部分的に完成されたホットランナー構成要素を準備して事業主体に出荷する。配置工程２０４は、（限定されないが、）部分的に完成されたホットランナー構成要素を在庫に配置することを含む。取出し工程２０６は、（限定されないが、）要求を有する顧客の注文を受け取った後で、在庫から部分的に完成されたホットランナー構成要素を取り出すことを含む。製造工程２０８は、（限定されないが、）エンドユーザーからの販売注文の要求に従って、部分的に完成されたホットランナー構成要素を、製造されたホットランナー構成要素への製造をすることを含む。部分的に完成されたホットランナー構成要素の更なる製造は、（次に限定されないが、）例えばドロップ位置の製造工程や、マニホールドブシュ（すなわち溶融体の流れを特定の方向に方向付けるための装置）を取り付ける工程や、ヒーターを取り付ける工程等の、マニホールドシステムの機械加工を仕上げることを含む。組み立て工程２１０は、（限定されないが、）製造されたホットランナー構成要素を用いて完成されたホットランナーシステムを組み立てることを含む。事業主体は、（限定されないが、）例えばヒーター素子のテストの実施や、限界寸法のチェック等のテストを実施するための工程も実行することができる。
【００１６】
上記の手配の技術的効果は、（限定されないが、）事業主体が標準的なマニホールドを保管しておくことができるため事業主体のリードタイムがより短くなること、及び／又は加工／製造工程の共有による事業主体に対するコストを節減することある。エンジニアリングの詳細は、好適には、供給主体によって管理されることが理解されるであろう。
【００１７】
図１Ｃは、ホットランナーシステムを製造する方法３００が示されている、第３の非限定的な実施形態の概略図を示す。方法３００において、供給主体は、ドロップ（ノズル、ヒーター、アクチュエーター）及びマニホールドブシュ等の、ホットランナーシステムの標準的な構成要素を事業主体に供給する。方法３００は、（限定されないが、）（ｉ）準備工程３０２、（ｉｉ）準備工程３０４、及び（ｉｉｉ）出荷工程３０６を含む。準備工程３０２は、（限定されないが、）ホットランナーシステムに関連されたエンジニアリングデータを準備することを含む。準備工程３０４は、（限定されないが、）標準的なホットランナー構成要素（例えばドロップ、ノズル、ヒーター、弁ステムアクチュエーター等）を準備することを含む。標準的なホットランナー構成要素は、ホットランナーシステムにおいて用いられる。出荷工程３０６は、（限定されないが、）標準的なホットランナー構成要素、及びエンジニアリングデータを（在庫から又は在庫からではなく）事業主体に出荷することを含む。事業主体は、標準的なホットランナー構成要素、及びエンジニアリングデータを用いてホットランナーアセンブリを構築する。事業主体は、ホットランナーシステムをホットランナーシステムのエンドユーザーに出荷する。エンドユーザーは、ホットランナーシステムを成形システムにおいて用いる。
【００１８】
方法３００は、供給主体に、例えば（限定されないが）ドロップ、ノズル、ヒーター、アクチュエーター等のホットランナーシステムの標準的な構成要素を供給させることを含み、供給主体は、（方法１００に関連して上述したように）マニホールドの部分的な製造を行わず、すなわち実行せず、マニホールドは事業主体によって完成される。
【００１９】
図１Ｄは、ホットランナーシステムを製造する方法４００が示されている、第４の非限定的な実施形態の概略図を示す。事業主体はこの場合、供給主体から標準的なホットランナー構成要素及びエンジニアリングデータを受け取った後で方法４００に関連する工程を実行することができる。方法４００は、（限定されないが、）（ｉ）受取り工程４０２、（ｉｉ）製造工程４０４、（ｉｉｉ）配置工程４０６、（ｉｖ）取出し工程４０８、（ｉｖ）製造工程４１０、及び（ｖ）出荷工程４１２を含む。受取り工程４０２は、（限定されないが、）供給主体から標準的なホットランナー構成要素（例えばドロップ、ノズル、ヒーター、弁ステムアクチュエーター等）を受け取ることを含む。製造工程４０４は、（限定されないが、）標準的なホットランナー構成要素を有するマニホールドシステムを製造することを含む。配置工程４０６は、マニホールドシステムを在庫に配置することを含む。取出し工程４０８は、（限定されないが、）要求を有する顧客の注文を受け取った後に、在庫からマニホールドシステムを取り出すことを含む。製造工程４１０は、（限定されないが、）顧客の注文の要求に従って在庫から取り出したマニホールドシステムを有するホットランナーシステムを製造することを含む。出荷工程４１２は、（限定されないが、）ホットランナーシステムを出荷することを含む。
【００２０】
幾つかの例では、事業主体をエンドユーザーとすることもできることが理解されるであろう。方法１００及び方法３００を組み合わせることができることが理解されるであろう。
【００２１】
上記の記載は、より関連のある非限定的な実施形態の幾つかを概説していることに留意されたい。したがって、この説明は特定の構成及び方法についてなされたものであるが、態様の意図及び概念は他の構成及び用途にも適しているとともに適用可能である。当業者には、独立請求項の範囲から逸脱することなく、開示されている実施形態に対する変更を行うことができることが明らかであろう。記載された実施形態は、独立請求項を例示するものに過ぎないことが理解される。
【図１Ａ】
2013501974.tif 000003
【図１Ｂ】
2013501974.tif 000004
【図１Ｃ】
2013501974.tif 000005
【図１Ｄ】
2013501974.tif 000006
【国際調査報告】
2013501974.tif 000007